(57)【特許請求の範囲】
【請求項１】
遊技機に対応して設けられ、対応する該遊技機において遊技に使用される遊技媒体を貸出すための遊技用装置であって、
消費税額を含む単位金額に相当する単位貸出数の遊技媒体を該単位金額の使用によって貸出すための単位貸出手段と、
消費税額を含むとともに前記単位金額に満たない端数残額に相当する数の遊技媒体を該端数残額の使用によって払い出すための端数遊技媒体払出手段と、
前記端数遊技媒体払出手段から払い出された遊技媒体を、遊技者が取り出し可能に貯留する端数貯留部と、
を備え、
前記端数貯留部には、前記端数遊技媒体払出手段によって払い出された遊技媒体を該端数貯留部内に流入させるための払出口が形成されており、
前記端数貯留部の底面からの前記払出口の高さは、前記端数貯留部内に流入した遊技媒体が前記払出口に流入しない高さとされており、
前記端数遊技媒体払出手段は、前記払出口に連通する払出通路を備え、
前記払出通路及び前記端数貯留部は、回動軸を中心にして水平方向に回動可能に設けられている
ことを特徴とする遊技用装置。
【請求項２】
前記端数貯留部に着脱可能であって、前記払出口から流入する遊技媒体を貯留可能なカップ部材を備える
ことを特徴とする請求項１に記載の遊技用装置。
【発明の詳細な説明】
【技術分野】
【０００１】
本発明は、遊技機に対応して設けられ、対応する該遊技機において遊技に使用される遊技媒体を貸出すための遊技用装置に関する。
【背景技術】
【０００２】
従来の遊技用装置としては、パチンコ機（遊技機）に対応して設けられ、該対応したパチンコ機において使用される遊技球（遊技媒体）を貸し出す遊技球貸出機（遊技用装置）がある。このような遊技球貸出装置には、消費税額に応じた単位金額にもとづく数の遊技球と消費税額に応じた単位金額に満たない端数残額にもとづく数の遊技球とをパチンコ機の同一の上皿に払い出すものがある（例えば、特許文献１参照）。
【先行技術文献】
【特許文献】
【０００３】
【特許文献１】特開２０１２−２２３６１７号公報
【発明の概要】
【発明が解決しようとする課題】
【０００４】
しかしながら、特許文献１にあっては、消費税額に応じた単位金額にもとづく数の遊技球と、端数残額にもとづく数の遊技球とが同一の上皿に払い出されるため、払い出された遊技球が全て上皿にて混ざってしまい、端数残額にもとづく数の遊技球が正常に払い出されたか遊技者が確認することができず、遊技者に不信感を与えてしまうという問題がある。
【０００５】
本発明は、このような問題点に着目してなされたもので、遊技者に対して不信感を与えてしまうことを防ぐことができる遊技用装置を提供することを目的とする。
【課題を解決するための手段】
【０００６】
手段１の遊技用装置は、
遊技機（例えば、パチンコ遊技機１）に対応して設けられ、対応する該遊技機において遊技に使用される遊技媒体（例えば、遊技球）を貸出すための遊技用装置（例えば、払出ユニット３００）であって、
消費税額を含む単位金額に相当する単位貸出数の遊技媒体を該単位金額の使用によって貸出すための単位貸出手段（例えば、制御ユニット３２８がメイン処理における貸出処理において単位金額である５００円分の遊技球を払い出す部分）と、
消費税額を含むとともに前記単位金額に満たない端数残額に相当する数の遊技媒体を該端数残額の使用によって払い出すための端数遊技媒体払出手段（例えば、制御ユニット３２８がメイン処理における端玉貸出処理において端玉を払い出す部分）と、
前記端数遊技媒体払出手段から払い出された遊技媒体を、遊技者が取り出し可能に貯留する端数貯留部（例えば、端玉貸出皿７００）と、
を備え、
前記端数貯留部には、前記端数遊技媒体払出手段によって払い出された遊技媒体を該端数貯留部内に流入させるための払出口（例えば、払出口７０４）が形成されており、
前記端数貯留部の底面からの前記払出口の高さは、前記端数貯留部内に流入した遊技媒体が前記払出口に流入しない高さとされており（例えば、図８に示すように、払出口７０４は、端玉貸出皿７００内の底面７０２ａから払出口７０４の下端部までの高さＬ６が遊技球の直径Ｒよりも長寸となるように直壁部７００ａに形成されている）、
前記端数遊技媒体払出手段は、前記払出口に連通する払出通路を備え、
前記払出通路及び前記端数貯留部は、回動軸を中心にして水平方向に回動可能に設けられている
ことを特徴としている。
手段２の遊技用装置は、手段１の遊技用装置であって、
前記端数貯留部に着脱可能であって、前記払出口から流入する遊技媒体を貯留可能なカップ部材を備える
ことを特徴としている。
これらの特徴によれば、通常の単位貸出数とは異なる端数残額に相当する数の遊技媒体が正しく貸し出されたか否かを、払い出された遊技媒体が他の遊技媒体と混ざってしまうことにより確認できなくなってしまうことを防止することができるので、遊技者に不信感を与えてしまうことを防ぐことができる。
また、これらの特徴によれば、払出口から端数貯留部内に流入した遊技媒体が更に払出口に流入することにより、遊技者が払い出された遊技媒体数を誤認してしまうことを防止することができる。
【０００７】
手段３の遊技用装置は、手段１または２の遊技用装置であって、
対応する前記遊技機と該遊技機と隣り合う他の遊技機との間において、煙の流動を抑制するための分煙板（例えば、分煙板６００）とともに設けられた遊技用装置（例えば、払出ユニット３００）であって、
前記端数貯留部は、前記分煙板と干渉しない位置に設けられている（例えば、図６に示すように、端玉貸出皿７００は、上端部が板体６０２の下端部よりも距離Ｌ４下方に位置するように配置されている）
ことを特徴としている。
この特徴によれば、端数貯留部が分煙板に干渉することがないので、端数貯留部が分煙板に干渉して破損してしまう等の不具合の発生を防ぐことができる。
【０００９】
手段４の遊技用装置は、手段１〜手段３のいずれかの遊技用装置であって、
前記端数貯留部内には、遊技媒体以外の物品の貯留を困難とするための段部（例えば、図１０に示すように、端玉貸出皿７００の底板部７０２の一部が上方に向けて突出した凸部７０５や、カップ７１０の底板部７１５の一部が上方に向けて突出した凸部７１３）が形成されている
ことを特徴としている。
この特徴によれば、遊技者が端数貯留部にて遊技媒体とは異なる物品を貯留しようとしても、段部によって端数貯留部内に遊技媒体以外の物品が貯留されることを防止することができる。
【００１０】
手段５の遊技用装置は、手段１〜手段４のいずれかの遊技用装置であって、
前記端数貯留部の底部には、遊技媒体が通過不能な貫通孔（例えば、図８に示すように、端玉貸出皿７００の底板部７０２を上下方向に貫通する複数の貫通孔７０３）が穿設されている
ことを特徴としている。
この特徴によれば、端数貯留部内に液体が流れ込んだとしても貫通孔を通して端数貯留部内から液体を排出することができるので、端数貯留部内に液体が貯まってしまうことを防止することができる。
【００１１】
手段６の遊技用装置は、手段１〜手段５のいずれかの遊技用装置であって、
膳板（例えば、膳板８００）を有する遊技島（例えば、遊技島５００）において、対応する前記遊技機と該遊技機と隣り合う他の遊技機との間に設けられた遊技用装置（例えば、払出ユニット３００）であって、
前記端数貯留部は、前記膳板の上面に形成された突出部（例えば、灰皿８０１）と干渉しない位置に設けられている（例えば、図６に示すように、端玉貸出皿７００は、下端部が灰皿よりも距離Ｌ２上方に位置するように配置されている）
ことを特徴としている。
この特徴によれば、端数貯留部が突出部に干渉することがないので、端数貯留部が突出部に干渉して破損してしまう等の不具合の発生を防ぐことができる。
【００１２】
手段７の遊技用装置は、手段１〜手段６のいずれかの遊技用装置であって、
前記端数貯留部は、水平方向に回動可能に設けられている（例えば、図７に示すように、端玉貸出皿７００は、筐体３１０に設けられた上下方向を向く枢軸７０１によって水平方向に回動可能に枢支されている）
ことを特徴としている。
この特徴によれば、遊技者は、好みの位置に端数貯留部を回動させることができるので、端数貯留部における遊技媒体の取り出しの操作性を向上できる。
【００１３】
手段８の遊技用装置は、手段１〜手段７のいずれかの遊技用装置であって、
対応する前記遊技機と該遊技機と隣り合う他の遊技機との間に設けられた遊技用装置（例えば、払出ユニット３００）であって、
前記遊技機には、該遊技機の前面の少なくとも下方部を水平方向に開閉可能な扉体（例えば、下扉枠５１）を枢支する枢支部（例えば、枢支部１０２及び枢支部１０３）が設けられており、
前記端数貯留部は、該端数貯留部の上端部が前記枢支部の下端部よりも下方となるように設けられている（例えば、端玉貸出皿７００は、上端部が枢支部１０３の下端部よりも距離Ｌ３下方に位置するように配置されている）
ことを特徴としている。
この特徴によれば、端数貯留部が枢支部と干渉することがないので、端数貯留部が枢支部に干渉して破損してしまう等の不具合が生じることを防止することができる。
【００１４】
手段９の遊技用装置は、手段８の遊技用装置であって、
前記端数貯留部は、前記枢支部の下方領域に水平方向に回動することによって進入可能に設けられており（例えば、図７に示すように、端玉貸出皿７００は、平面視で端玉貸出皿７００の一部が板体６０２の下方に進入する左方位置と、平面視で端玉貸出皿７００の一部が枢支部１０３の下方に進入する右方位置との間の約１８０度の範囲で水平方向に回動可能に設けられている）、前記枢支部の下方領域に進入している部分の範囲が最も大きい特定位置（例えば、右方位置）であっても、前記枢支部の下方領域に進入していない部分を有する（例えば、図７に示すように、右方位置に配置された端玉貸出皿７００は、平面視で最大約半分の範囲が枢支部１０３の下方に進入する一方で、平面視で他方の約半分の範囲は、枢支部１０３の下方に進入しない）
ことを特徴としている。
この特徴によれば、遊技者は端数貯留部が特定位置に位置していても端数貯留部内を視認することができるので、端数貯留部からの遊技媒体の取り出し忘れを防ぐことができる。
【００１５】
手段１０の遊技用装置は、手段１〜手段９のいずれかの遊技用装置であって、
膳板（例えば、膳板８００）を有する遊技島（例えば、遊技島５００）において、対応する前記遊技機と該遊技機と隣り合う他の遊技機との間に設けられた遊技用装置（例えば、払出ユニット３００）であって、
前記端数貯留部は、該端数貯留部の下端部と前記膳板の上面との間隙が遊技媒体の高さ寸法よりも大きくなる位置に設けられている（例えば、図６に示すように、端玉貸出皿７００は、下端部が膳板８００の上面から遊技球の直径Ｒよりも長寸である距離Ｌ１上方に位置するように配置されている）
ことを特徴としている。
この特徴によれば、端数貯留部が膳板上の遊技媒体に干渉することがないので、端数貯留部が膳板上の遊技媒体に干渉して破損してしまう等の不具合の発生を防ぐことができる。
【００１６】
尚、本発明は、本発明の請求項に記載された発明特定事項のみを有するものであって良いし、本発明の請求項に記載された発明特定事項とともに該発明特定事項以外の構成を有するものであっても良い。
【図面の簡単な説明】
【００１７】
【図１】実施例における払出ユニットが設けられている遊技島を示す正面図である。
【図２】払出ユニットとパチンコ遊技機を示す正面図である。
【図３】払出ユニットのブロック図である。
【図４】払出ユニットの内部機構を示す左側面図である。
【図５】払出ユニット及び分煙板を示す斜視図である。
【図６】払出ユニットにおける端玉貸出皿を示す側面図である。
【図７】払出ユニットにおける端玉貸出皿の回動態様を示す平面図である。
【図８】端玉貸出皿を示す断面図である。
【図９】ＣＰＵが実行するメイン処理を示すフローチャートである。
【図１０】変形例１における端玉貸出皿を示す断面図である。
【図１１】変形例２における端玉貸出皿を示す断面図である。
【発明を実施するための形態】
【００１８】
本発明の実施例を以下に説明する。
【実施例】
【００１９】
本発明が適用された遊技用装置（払出ユニット３００）について、図面に基いて説明する。図１は、実施例における払出ユニットが設けられている遊技島を示す正面図であり、図２は、払出ユニットとパチンコ遊技機を示す正面図であり、図３は、払出ユニットのブロック図であり、図４は、払出ユニットの内部機構を示す左側面図であり、図５は、払出ユニット及び分煙板を示す斜視図であり、図６は、払出ユニットにおける端玉貸出皿を示す側面図であり、図７は、払出ユニットにおける端玉貸出皿の回動態様を示す平面図であり、図８は、端玉貸出皿を示す断面図であり、図９は、ＣＰＵが実行するメイン処理を示すフローチャートである。尚、以下の説明において、説明の便宜上、図１の手前側を遊技島、遊技機、払出ユニット、の前側、左右方向を左右側として説明する。
【００２０】
図１に示すように、遊技場（パチンコ店）内には、パチンコ遊技機やスロットマシン等を複数台設置するための遊技島５００が設置されている。本実施例における遊技島５００は、左右方向に向けて細長に形成されており、前後面（本実施例では前面のみを図示）には、複数のパチンコ遊技機１が左右方向に並設されている。これら各パチンコ遊技機１の左側方には、各パチンコ遊技機１に対して遊技球の貸出を行うための払出ユニット３００がパチンコ遊技機１と近接して配置されている。更に、各払出ユニット３００の左側方には、隣り合うパチンコ遊技機１，１間において煙の流動を抑制するための分煙板６００が払出ユニット３００と近接して配置されている。つまり、本実施例における遊技島５００においては、隣り合うパチンコ遊技機１，１間に払出ユニット３００と分煙板６００が配置されている。
【００２１】
また、遊技島５００におけるパチンコ遊技機１の下方には、遊技島５００の長手方向の略全長に亘って膳板８００が設けられている。該膳板８００には、例えば、パチンコ遊技機１から払い出された賞球（遊技球）を貯留するための球箱等を載置可能となっている。膳板８００の上面におけるパチンコ遊技機１の左側には、灰皿８０１が突出形成されている。
【００２２】
更に、遊技島５００における各パチンコ遊技機１の上方には、個々のパチンコ遊技機１に１対１に対応し、呼び出しボタンを備えた呼び出しランプ５１０が設置されている。
【００２３】
図２に示すように、パチンコ遊技機１は、遊技盤面を構成する遊技盤（ゲージ盤）２と、遊技盤２を支持固定する遊技機用枠（台枠）３とから構成されている。遊技盤２には、ガイドレールによって囲まれた略円形状の遊技領域が形成されており、所定の打球発射装置から発射された遊技球が該遊技領域に打ち込まれることで遊技が行われるようになっている。
【００２４】
遊技機用枠３の前面には、ガラス扉枠５０及び下扉枠５１が配置されている。このうちガラス扉枠５０は、遊技機用枠３の左側部の上部に設けられた枢支部１０１と、遊技機用枠３の左側部において枢支部１０１よりも下方に設けられた枢支部１０２と、によってパチンコ遊技機１の前面の上部を水平方向に開閉可能に枢支されている。また、下扉枠５１は、枢支部１０２と、遊技機用枠３の左側部において枢支部１０２よりも下方に設けられた枢支部１０３と、によってパチンコ遊技機１の前面の下部を水平方向に開閉可能に枢支されている。
【００２５】
ガラス扉枠５０はガラス窓５０ａを有しており、遊技者は、ガラス扉枠５０を閉鎖したときにガラス窓５０ａを通して遊技領域を視認できるようになっている。
【００２６】
下扉枠５１には、遊技領域に打ち込まれる遊技球を貯留する打球供給皿２３が形成されている。尚、打球供給皿２３の上面所定箇所には、プリペイド残額が表示される残額表示器や、遊技球の貸出操作を行うために操作される貸出ボタンなどが設けられた操作部１４が設置されている。
【００２７】
更に、下扉枠５１における打球供給皿（上皿）２３の下方には、遊技領域における各入賞口に打球が入賞した場合に払い出される賞球によって、打球供給皿２３から溢れた遊技球を貯留する下皿２４が設けられている。
【００２８】
遊技者は、パチンコ遊技機１の下部に設けられた発射ハンドルを操作して打球供給皿（上皿）２３に貯留されている遊技球を遊技領域に打ち込んで遊技を行い、遊技領域に設けられた入賞口に入賞することで、賞球が打球供給皿（上皿）２３に払い出される。
【００２９】
また、遊技領域に設けられた所定の始動入賞口に入賞した場合には、遊技領域の中央部に設けられた演出表示装置や特別図柄表示装置において演出図柄や特別図柄の変動表示が実行され、始動入賞にもとづいて実行される内部の抽選において大当りとすることが決定されているときには、演出図柄や特別図柄の変動表示結果が大当りの図柄となることで、遊技領域に設けられた特別可変入賞装置（いわゆるアタッカー）における大入賞扉が開成して、多くの遊技球を入賞させることにより多くの賞球を獲得可能な大当り遊技状態に制御される。
【００３０】
大当り遊技状態となったときには、該大当り遊技状態後の遊技状態として、内部の抽選において大当りと決定される確率が高まる高確率状態（いわゆる確変状態）や始動入賞する頻度が高まることで遊技球の単位時間当りの増減率（ベース）が高まる高ベース状態（いわゆる時短状態）に移行する場合がある。尚、高確率状態においても高ベース状態を伴う高確率状態と高ベース状態となる場合がある。
【００３１】
次に、本発明における遊技用装置としての払出ユニット３００について、図２〜図５にもとづいて説明する。払出ユニット３００は、正面視で縦長長方形状を成す筐体３１０を有しており、該筐体３１０内部には後述する各種装置が内蔵されている。
【００３２】
払出ユニット３００の後述する制御ユニット３２８とパチンコ遊技機１とは、図３に示すように、貸出処理や持玉や貯玉の払出処理における遊技球の払い出しに伴う各種のデータ（払出関連データ）を送受可能に接続されているとともに、パチンコ遊技機１に設けられている図示しない情報出力基板と信号ケーブルを介して接続されており、該パチンコ遊技機１から大当り遊技状態中において出力される大当り信号、上記した高確率状態中において出力される確変中信号、上記した高ベース状態中において出力される時短中信号、所定数（例えば１０球）の賞球が払い出される毎に出力される賞球信号、変動表示による表示結果が導出される毎（つまり、変動表示が実行される毎）に出力される始動信号が入力可能に接続されている。
【００３３】
本実施例における払出ユニット３００は、ビジターカードや会員カードを受付けて、パチンコ遊技機１における遊技に使用される遊技球を、消費税額を含む単位金額（例えば、５００円）に相当する単位貸出数貸出すための処理や、消費税額を含むとともに単位金額に満たない端数残額に相当する数の遊技球を端数残額の使用によって払い出すための処理を実行するユニットである。また、本実施例における複数の払出ユニット３００は、各遊技島５００に設置された複数のパチンコ遊技機１と、各払出ユニット３００にて使用されるビジターカードや会員カード並びに各払出ユニット３００の管理等を行う図示しないカード管理コンピュータと、会員カードを所持する会員遊技者が再度の遊技に使用可能に所有する貯玉数やビジターカードに記録された持玉数の管理を行う図示しない貯玉管理コンピュータと、各パチンコ遊技機１の台データ等の遊技情報を管理する図示しないホールコンピュータ等により遊技用システムを構成している。各払出ユニット３００と各コンピュータとは、ローカルエリアネットワーク（ＬＡＮ）に接続されており、該ローカルエリアネットワーク（ＬＡＮ）を介して互いにデータの送受信が可能となっている。
【００３４】
図２及び図３に示すように、筐体３１０の前面上端部には、波長の長い赤色（７５０ｎｍ（ナノメータ））から波長の短い青色（４５０ｎｍ（ナノメータ））の可視光のうち、波長の異なる各色の可視光を発光可能なフルカラーＬＥＤ２１１を内蔵することにより波長の異なる複数の色に点灯することで払出ユニット３００の状態等を報知可能であるとともに、赤外線受光素子（ＩＲ受光ユニット）２１２を有することで遊技場の係員が所持する図示しないリモコンから出力されるエラー報知のリセット操作に対応した赤外線信号を入力可能とされた光入出力ユニット３０１や、紙幣を挿入するための紙幣挿入口４０３が設けられている。また、これら光入出力ユニット３０１と紙幣挿入口４０３との下方には、各種情報を表示可能な表示部３１２、メインメニュー画面を表示させるためのメニューボタンスイッチ３１４、挿入中のビジターカードや会員カードを返却するときに操作される返却ボタン４０２、会員カードやビジターカードを挿入するためのカード挿入口３０９が設けられている。更に、筐体３１０の前面下端部には、端数残額に応じて払い出された遊技球（端玉）を遊技者が取り出し可能に貯留する端玉貸出皿７００が設けられている。尚、本実施例における端玉貸出皿７００は樹脂材により構成されている。
【００３５】
尚、表示部３１２は、所定の画像や文字を表示可能な液晶表示器３１３と、表示部３１２に表示された各表示項目を指触により入力可能とするための透明タッチパネル３１５と、から構成されている。
【００３６】
図３及び図４に示すように、筐体３１０内の前方側上端部には、光入出力ユニットを構成する光入出力基板２１０が設けられている。また、該光入出力基板２１０の下方には、紙幣挿入口４０３に投入された紙幣を取り込んでその真贋や紙幣種別の識別を実行し、その識別結果を後述の制御ユニット３２８に出力する紙幣識別ユニット４１０が設けられており、該紙幣識別ユニット４１０にて各種紙幣（１万円、５千円、２千円、千円の各紙幣）の受付が可能とされている。
【００３７】
紙幣識別ユニット４１０の下方には、液晶表示器３１３の表示制御や透明タッチパネル３１５による入力位置の検出等を実行する表示制御マイコン等が実装された表示制御基板３２９が設けられている。また、筐体３１０内には、カード挿入口３０９に対応する位置にカードリーダライタ３２７が設けられている。
【００３８】
カードリーダライタ３２７は、カード挿入口３０９から挿入される会員カード並びにビジターカードに記録されている（会員）カードＩＤや、会員ＩＤ（会員カードのみ）、プリペイド残額データ等の記録情報の読み出し並びに書き込みを行うとともに、発行に使用するビジターカード（回収したカードを含む）を貯留するカードストック部（図示略）を有しており、該カードストック部（図示略）に貯留されたカードを発行可能とされている。
【００３９】
会員カードは、遊技場に会員登録を実施した会員遊技者に対して発行されるものであり、該会員に対して付与される会員ＩＤが書き換え不能に記憶されている。また、該会員カードを使用して会員遊技者は、一度獲得して計数した遊技球を、その翌日以降においても再度遊技に使用できる貯玉を行うことができるようになっているが、これら会員カードには、該貯玉のデータである貯玉数は直接記録されておらず、これら貯玉数は、貯玉管理コンピュータにおいて、会員カードＩＤと会員ＩＤとに対応付けて記憶されることで、該会員カードＩＤや会員ＩＤから特定されるようになっている。
【００４０】
また、ビジターカードは、遊技場内に設置された図示しないカード発行・入金機にて、購入、発行されるとともに、各払出ユニット３００においても発行される。尚、ビジターカードには、該ビジターカードを所有する遊技者が計数した計数済玉数に基づく持玉数と日付とが記憶されており、該持玉数をその当日においてのみ、遊技場内の各払出ユニット３００において使用できるようになっている。
【００４１】
尚、本実施例では、ビジターカードのみに持玉数を書き込み記録するようにしているが、本発明はこれに限定されるものではなく、これら持玉数や貯玉数のデータを、ビジターカードと同じく、会員カードに記録するようにしても良い。逆に、会員カードと同様に、ビジターカードに持玉数を書き込み記録せずに、貯玉管理コンピュータにおいて、各ビジターカードのカードＩＤに対応付けて当該ビジターカードを所持する遊技者が計数した持玉数をビジターカードから特定できるようにしても良い。
【００４２】
筐体３１０内におけるカードリーダライタ３２７の下方位置、つまり、筐体３１０内の下部位置には、端玉貸出皿７００に対して端数残額の使用によって払い出された遊技球（端玉）を払い出すための端玉払出装置４０７が設けられている。更に、筐体３１０内における表示制御基板３２９とカードリーダライタ３２７との間には、払出ユニット３００を構成する各部の動作を制御するとともに回収したビジターカードを貯留するカードストック部（図示略）等が一体に組み付けられた制御ユニット３２８が設けられている。
【００４３】
また、各払出ユニット３００の制御ユニット３２８には、返却ボタン４０２に対応する返却ボタンスイッチ４０２ａが接続されている（図３参照）。
【００４４】
また、紙幣挿入口４０３は、各払出ユニット３００の上方位置に内蔵される紙幣識別ユニット４１０に連設されており、この紙幣挿入口４０３を介して紙幣を紙幣識別ユニット４１０に挿入可能とされている。この紙幣識別ユニット４１０は、紙幣挿入口４０３に投入された紙幣を取り込んでその真贋や紙幣種別の識別を実施し、その識別結果を制御ユニット３２８に出力するようになっている（図３参照）。該紙幣識別ユニット４１０にて各種紙幣（１万円、５千円、２千円、千円の各紙幣）の受付が可能とされている。よって、これらの現金が投入されたときにビジターカードや会員カードが受付けられていない場合には、該投入された現金が千円である場合には、先ず、単位金額である５００円に対応する玉数（例えば、１２５球）が対応するパチンコ遊技機１から払い出される。尚、このときパチンコ遊技機１に払い出された遊技球は、打球供給皿（上皿）２３内に貯留される。そして、投入された千円から単位金額である５００円に消費税（税率８％であれば４０円）を加えた金額（例えば、５４０円）を減算する。
【００４５】
このように単位金額に消費税を加えた金額を投入された金額から減算することで残り金額が単位金額に消費税を加えた金額に満たない端数残額（この場合は４６０円）である場合は、前述したパチンコ遊技機１からの単位金額に対応する玉数の払出に加えて、消費税額を含むとともに単位金額に満たない端数残額に相当する数の遊技球が端玉貸出皿７００に払い出される。
【００４６】
一方、投入された金額が２千円以上である場合は、該投入された金額から単位金額である５００円に消費税を加えた金額を減算した後の金額が、カードリーダライタ３２７内部に貯留されているビジターカードに入金（残額加算）されるようになっている。
【００４７】
つまり、本実施の各払出ユニット３００は、図３及び図４に示すように、光入出力ユニット３０１、紙幣識別ユニット４１０と、カードリーダライタ３２７と、表示制御基板３２９と、端玉払出装置４０７と、各払出ユニット３００の各部の制御を制御プログラムにより実施して該各払出ユニット３００の各種の機能を提供する制御ユニット３２８と、から主に構成され、カードリーダライタ３２７、表示制御基板３２９、端玉払出装置４０７は、制御ユニット３２８と接続されて各種データの送受が可能とされているとともに、光入出力ユニット３０１が制御ユニット３２８に接続されることにより、該光入出力ユニット３０１の点灯制御や、光入出力ユニット３０１にて受信した赤外線信号に対応した信号が制御ユニット３２８に入力されるようになっている。
【００４８】
また、制御ユニット３２８は、制御プログラムを実行可能な中央演算処理回路（ＣＰＵ）３２８ａや、カードリーダライタ３２７に受付け中のビジターカードや会員カードの（会員）カードＩＤや会員ＩＤ（会員のみ）並びにプリペイド残額（残度数）や、貯玉数、持玉数（計数済玉数）、来店ポイント数、対応するパチンコ遊技機１の台データ、遊技中の会員の遊技情報等の各種のデータを記憶可能なＲＡＭ３２８ｂや、中央演算処理回路（ＣＰＵ）３２８ａが実行する制御プログラムや、当該払出ユニット３００の装置ＩＤを含む設定情報や等の各種のデータを書き換え記憶可能な不揮発性メモリであるＥＥＰＲＯＭ３２８ｃや、その時点の時刻情報やカレンダ情報等を出力可能なリアルタイムクロック（ＲＴＣ）３２８ｄを含み、ＲＡＭ３２８ｂは図示しない電池によりバックアップされており、電源が遮断されても、所定期間において記憶されているデータが保持される。
【００４９】
本実施例のＲＡＭ３２８ｂに記憶されている図示しないカードテーブルには、カードリーダライタ３２７に挿入されたビジターカードや会員カードから読み出した（会員）カードＩＤや会員ＩＤ（会員カードのみ）、暗証番号（会員のみ）、（会員）カードＩＤ並びにプリペイド残額データに基づくプリペイド残額、カードＩＤ若しくは（会員）カードＩＤと会員ＩＤから特定される持玉数、（会員）カードＩＤと会員ＩＤから特定される貯玉数（会員のみ）、会員ＩＤから特定される来店ポイント数（会員のみ）等の情報が記憶されるようになっている。
【００５０】
また、制御ユニット３２８は、対応するパチンコ遊技機１の払出制御基板（図示略）と接続されており、該払出制御基板（図示略）との間において払い出し処理に伴う各種信号の送受が実施可能とされているとともに、通信部３３４並びにＨＵＢを介して貯玉管理コンピュータ等の各コンピュータとデータ通信可能に接続されており、これらの各コンピュータと各種データの送受が該通信部３３４を通じて可能とされている。
【００５１】
また、本実施例の表示制御基板３２９には、液晶表示器３１３の表示駆動を行う表示駆動回路（図示略）や、透明タッチパネル３１５からの出力信号に基づいて押圧操作された位置を特定して該特定した入力位置情報を出力する入力位置検出回路（図示略）や、表示部３１２に表示する表示映像に関する処理を行うＶＤＰ（図示略）や、メニュー表示等に使用する画像データ等を記憶するＶＲＯＭ（図示略）や、表示部３１２に表示する表示データを一時記憶するＶＲＡＭ（図示略）や、制御ユニット３２８から独立して、各種スイッチ類やタッチパネル等の入力に伴う判断や処理を処理プログラムに基づいて実施する表示制御マイコン等が実装されており、制御ユニット３２８から出力される表示データ（ページデータ）等に基づいて、各種の表示画面を表示するための表示部３１２を成す液晶表示器３１３に表示可能とされている。
【００５２】
尚、本実施例の各払出ユニット３００は、図４に示すように、縦長箱状の筐体３１０から成る各払出ユニット３００本体が、その上下位置に形成されたスライドガイドＨ’を有するコ字状のユニットホルダＨに係合し、該各台計数ユニット３００本体を前面方向に引き出し可能に保持するユニットホルダＨを介して遊技島５００に設置されており、各払出ユニット３００の前面下方所定位置には、図示しないシリンダ錠が設けられていて、係員等が所持する解錠キーにより施錠を解除することで各払出ユニット３００が引き出しできるようになっている。
【００５３】
また、該ユニットホルダＨには、各種接続ケーブルを中継するためのコネクタが設けられており、制御ユニット３２８に接続される通信ケーブル等が、該ユニットホルダＨを介して中継接続されていて、これら通信ケーブル等が各台計数ユニット３００本体の引き出し時に絡まって、各台計数ユニット３００本体が引き出せなくなってしまうことがないように工夫されている。
【００５４】
尚、端玉払出装置４０７の内部には、端玉貸出皿７００に対して払い出す遊技球数を計数する図示しない計数器と、該計数器を制御するとともに制御ユニット３２８からの指示にもとづいて端玉払出装置４０７の動作を制御する図示しない計数器コントローラとが内蔵されており、計数器にて計数された遊技球数（端玉数）が計数器コントローラから制御ユニット３２８に送信されるようになっている。
【００５５】
図４及び図５に示すように、分煙板６００は、各払出ユニット３００の左側において各払出ユニット３００と隣接して配置されている。この分煙板６００は、左隣に設置されているパチンコ遊技機１にて遊技を行っている遊技者が喫煙をした際に、その煙が、払出ユニット３００が対応するパチンコ遊技機１にて遊技を行っている遊技者まで流れてくることを抑制するために設けられている。
【００５６】
分煙板６００は、パチンコ遊技機１に対応して設けられた払出ユニット３００と該パチンコ遊技機１の左側に設けられた他のパチンコ遊技機１との間に設けられた基部６０１と、該基部６０１から前方に向けて突出する板体６０２とから主に構成されている。板体６０２の上部側は大きく前方に突出している一方で、板体６０２の下部側は、切り欠かれて突出長が上部側よりも小さくなっている。また、板体６０２は、光透過性を有する樹脂材により構成された板材であるアクリルボード６０２ａと、該アクリルボード６０２ａの外周縁を保持するボードフレーム６０２ｂとから構成されており、ボードフレーム６０２ｂによってアクリルボード６０２ａの強度の向上が図られている。尚、本実施例における板体６０２は、詳細は後述するが、下端部が端玉貸出皿７００の上端部よりも所定距離（図６に示す距離Ｌ４）上方となるように配置されている。
【００５７】
次に払出ユニット３００に設けられた端玉貸出皿７００について説明する。図５〜図８に示すように、端玉貸出皿７００は、底板部７０２と、該底板部７０２の端縁部から上方に向けて設けられた直壁部７００ａ及び曲壁部７００ｂとから構成されており、上方に向けて開口を成している。このため、本実施例の端玉貸出皿７００では、遊技者が端玉貸出皿７００の上方から手を入れることにより、端玉貸出皿７００内に貯留されている遊技球（端玉）を直接取り出すことが可能となっている。
【００５８】
尚、直壁部７００ａは平面視で直線状に形成されているとともに、曲壁部７００ｂは平面視で曲線状に形成されており、これら直壁部７００ａ及び曲壁部７００ｂによって端玉貸出皿７００は平面視で遊技球の直径Ｒ（例えば、１１ｍｍ）よりも長寸である直径（例えば、８０ｍｍ）の円形の一部が切り欠かれた形状に形成されている。尚、本実施例における端玉貸出皿７００における直壁部７００ａ及び曲壁部７００ｂは、底板部７０２からの高さが遊技球の直径Ｒ（例えば、１１ｍｍ）よりも長寸（例えば、３０ｍｍ）となるように形成されている。
【００５９】
底板部７０２には、上下方向を向く貫通孔７０３が複数穿設されている。これら貫通孔７０３は、図８に示すように、平面視で遊技球の直径Ｒ（例えば、１１ｍｍ）よりも短寸である直径Ｌ５（例えば、２ｍｍや３ｍｍ）の円形状に形成されている。このため、本実施例の端玉貸出皿７００においては、例えば、遊技者が誤ってジュース等の液体を零すことによって端玉貸出皿７００内に液体が流れ込んだとしても、貫通孔７０３を通して端玉貸出皿７００内から液体を排出することができるので、端玉貸出皿７００内に液体が貯まってしまうことを防止することができる。
【００６０】
図８に示すように、直壁部７００ａには払出ユニット３００内の端玉払出装置４０７によって払い出された端玉を端玉貸出皿７００内に流入させるための払出口７０４が形成されている。尚、払出口７０４は、底板部７０２の上面、つまり端玉貸出皿７００内の底面７０２ａから払出口７０４の下端部までの高さＬ６が遊技球の直径Ｒ（例えば、１１ｍｍ）よりも長寸（例えば、２０ｍｍ〜２５ｍｍ）となるように直壁部７００ａに形成されている。このため、本実施例の端玉貸出皿７００においては、端玉貸出皿７００内に一度流入した遊技球が更に払出口７０４から端玉払出装置４０７に向けて逆流することにより、払い出された遊技球数を遊技者が誤認してしまうこと防止することができるようになっている。
【００６１】
また、図６に示すように、端玉貸出皿７００は、下端部が膳板８００の上面から距離Ｌ１（例えば、３０ｍｍ）離間する高さ位置において、筐体３１０に設けられた上下方向を向く枢軸７０１によって直壁部７００ａ側が枢支されている。このため、端玉貸出皿７００は、水平方向に回動可能となっている。更に、端玉貸出皿７００は、下端部が膳板８００の上面から距離Ｌ１（例えば、３０ｍｍ）離間する高さ位置に配置されることで、端玉貸出皿７００の下端部と灰皿８０１の上端部との間は距離Ｌ２（例えば、２０ｍｍ）離間されている。このため、本実施例における端玉貸出皿７００は、膳板８００の上面から距離Ｌ１離間した高さ位置で、灰皿８０１及び膳板８００上を転動する遊技球等に接触することなく水平方向に回動可能となっている。
【００６２】
一方、端玉貸出皿７００は、下端部が膳板８００の上面から距離Ｌ１（例えば、３０ｍｍ）離間する高さ位置に配置されることで、端玉貸出皿７００の上端部は、前述した枢支部１０３の下端部よりも距離Ｌ３（例えば、２０ｍｍ〜２５ｍｍ）下方且つ、前述した板体６０２の下端部よりも距離Ｌ４（例えば、２５ｍｍ〜３０ｍｍ）下方に配置されている。このため、本実施例の端玉貸出皿７００は、上端部が枢支部１０３や板体６０２に接触することなく水平方向に回動可能となっている。
【００６３】
本実施例の端玉貸出皿７００の回動範囲は、図７に示すように、平面視で端玉貸出皿７００の一部が板体６０２の下方に進入する左方位置と、平面視で端玉貸出皿７００の一部が枢支部１０３の下方に進入する右方位置との間の約１８０度の範囲である。尚、右方位置に配置された端玉貸出皿７００は、平面視で最大約半分の範囲が枢支部１０３の下方に進入する一方で、平面視で他方の約半分の範囲は、枢支部１０３の下方に進入しないようになっている。このため、遊技者は、端玉貸出皿７００が右方位置に配置されていても、枢支部１０３の下方に進入していない箇所を視認することができるので、端玉貸出皿７００からの端玉の取り出し忘れを防ぐことができる。
【００６４】
以下、本実施例の払出ユニット３００の動作について、図９を用いて説明する。
【００６５】
まず、図９に示すように、制御ユニット３２８におけるＣＰＵ３２８ａは、払出ユニット３００への電源投入により起動されることで、メイン処理の実行を開始する。メイン処理において、ＣＰＵ３２８ａは、まず、必要な初期化処理（Ｓ１）を実行する。
【００６６】
初期化処理において、ＣＰＵ３２８ａは、まず、割込禁止に設定する（Ｓｂ１）。次に、割込モードを設定し（Ｓｂ２）、スタックポインタにスタックポインタ指定アドレスを設定する（Ｓｂ３）。そして、内蔵デバイスの初期化（内蔵デバイス（内蔵周辺回路）であるＣＴＣ（カウンタ／タイマ）およびＰＩＯ（パラレル入出力ポート）の初期化など）を行った後（Ｓｂ４）、ＲＡＭをアクセス可能状態に設定する（Ｓｂ５）。
【００６７】
次いで、ＣＰＵ３２８ａは、払出ユニット３００への電力供給が停止したときにバックアップＲＡＭ領域のデータ保護処理（例えばパリティデータの付加等の電力供給停止時処理）が行われたか否か確認する（Ｓｂ７）。そのような保護処理が行われていないことを確認したら、ＣＰＵ３２８ａは初期化処理を実行する。バックアップＲＡＭ領域にバックアップデータがあるか否かは、例えば、電力供給停止時処理においてバックアップＲＡＭ領域に設定されるバックアップフラグの状態によって確認される。
【００６８】
電力供給停止時処理が行われたことを確認したら、ＣＰＵ３２８ａは、バックアップＲＡＭ領域のデータチェックを行う（Ｓｂ８）。この実施例では、データチェックとしてパリティチェックを行う。よって、Ｓｂ８では、算出したチェックサムと、電力供給停止時処理で同一の処理によって算出され保存されているチェックサムとを比較する。不測の停電等の電力供給停止が生じた後に復旧した場合には、バックアップＲＡＭ領域のデータは保存されているはずであるから、チェック結果（比較結果）は正常（一致）になる。チェック結果が正常でないということは、バックアップＲＡＭ領域のデータが、電力供給停止時のデータとは異なっていることを意味する。そのような場合には、内部状態を電力供給停止時の状態に戻すことができないので、電力供給の停止からの復旧時でない電源投入時に実行される初期化処理を実行する。
【００６９】
チェック結果が正常であれば、ＣＰＵ３２８ａは、バックアップデータにより設定を復旧し（Ｓｂ９）、バックアップデータをクリアする（Ｓｂ１０）。次いで、初期化処理では、ＣＰＵ３２８ａは、ＲＡＭクリア処理を行う（Ｓｂ１３）。また、ＲＡＭ３２８ｂに格納されている設定データを初期化するとともに、各種テーブルの初期化並びに各部の接続状況の確認や、カード管理コンピュータやホールコンピュータ、貯玉管理コンピュータへの接続確認要求の送信、並びに該接続確認要求の送信に応じてカード管理コンピュータ、ホールコンピュータ、貯玉管理コンピュータから返信される設定情報に基づく各設定データに初期値等の設定等を実行する（Ｓｂ１４）。
【００７０】
また、Ｓｂ１６において、ＣＰＵ３２８ａは、所定時間（例えば２ｍｓ）毎に定期的にタイマ割込がかかるように制御ユニット３２８に内蔵されているＣＴＣのレジスタの設定を行う。すなわち、初期値として例えば２ｍｓに相当する値が所定のレジスタ（時間定数レジスタ）に設定される。この実施例では、２ｍｓ毎に定期的にタイマ割込がかかるとする。初期化処理の実行（Ｓｂ１３、Ｓｂ１４）が完了すると、ＣＰＵ３２８ａは、タイマ割り込みの設定を行い（Ｓｂ１６）、割込許可状態に設定する（Ｓｂ１７）。
【００７１】
Ｓ１における初期化処理が完了したら、タイマ割込フラグの監視（Ｓ２）を行うループ処理に移行する。タイマ割込が発生すると、ＣＰＵ３２８ａは、タイマ割込処理においてタイマ割込フラグをセット（１に更新）する。メイン処理において、タイマ割込フラグがセットされていたら、そのフラグをクリア（０に更新）し（Ｓ３）、以下のＳ４〜Ｓ１３の処理を実行する。
【００７２】
ＣＰＵ３２８ａは、カード挿入口３０９への会員カード或いはビジターカードの挿入であるカード受付け、遊技者（会員またはビジター）による貸出ボタンの操作、紙幣挿入口４０３からの紙幣の投入による現金受付け、遊技者による返却ボタンの操作、所定のエラー信号の検出、扉開放信号の検出、電断検出、締め関連処理指定コマンドを検知する待機状態となる。
【００７３】
これら各操作の待機状態において、遊技者が、ビジターカードまたは会員カードをカード挿入口３０９に挿入した場合には、該ビジターカード或いは会員カードの挿入に伴う挿入検知情報がカードリーダライタ３２７から制御ユニット３２８に出力されることで、制御ユニット３２８は、カード受付け有りと判断してカード受付け処理を実行する（Ｓ４）。
【００７４】
このＳ４における本実施例のカード受付け処理においては、カード挿入口３０９に挿入された会員カードまたはビジターカードの取り込み指示をカードリーダライタ３２７に出力して、挿入された会員カード或いはビジターカードをカードリーダライタ３２７内に取り込んで、該会員カード或いはビジターカードに記憶されている記憶データ、具体的には、当該会員カード或いはビジターカードの（会員）カードＩＤと会員ＩＤ（会員カードのみ）とプリペイド残額データ、持ち玉数データ（ビジターカードのみ）等を読み出す。
【００７５】
そして制御ユニット３２８は、受付けた会員カード又はビジターカードから読み出した（会員）カードＩＤとプリペイド残額データと装置ＩＤとを含む認証要求をカード管理コンピュータに送信し、カード管理コンピュータからの認証結果を受信するカード認証処理を実行する。
【００７６】
カード管理コンピュータから返信された認証結果が「認証ＮＧ」である場合に制御ユニット３２８は、受付けた会員カード或いはビジターカードの排出指示をカードリーダライタ３２７に出力して、挿入された会員カード或いはビジターカードを返却させてカード受付け処理を終了する一方、返信された認証結果が「認証ＯＫ」である場合には、受付けたカードから読み出した（会員）カードＩＤと会員ＩＤ（会員のみ）とプリペイド残額とをカードテーブルに格納するとともに、貯玉管理コンピュータに対して、受付けた会員カード或いはビジターカードから読み出した（会員）カードＩＤと装置ＩＤと持ち玉数（ビジターカードのみ）とを含むカード受付け通知を送信する。
【００７７】
次いで、貯玉管理コンピュータは、受信したカード受付け通知に含まれる（会員）カードＩＤに対応する持ち玉数、貯玉数（会員のみ）を、営業当日前に会員により獲得された貯玉数を管理するための会員貯蓄管理テーブルまたはビジターカードを所持する遊技者により営業当日において獲得された持ち玉数を管理するためのビジター貯蓄管理テーブルにおいて該（会員）カードＩＤに対応して記憶されている各データから特定するとともに、該カードＩＤが会員カードＩＤである場合には、該会員カードＩＤに対応して会員情報テーブルに記憶されている暗証番号と来店ポイントを更に特定し、これら特定した持ちメダル数、貯蓄メダル数（会員のみ）、来店ポイント（会員のみ）、暗証番号（会員のみ）と、（会員）カードＩＤとを含む受付け処理完了通知を、受信したカード受付け通知の送信元の払出ユニット３００に対して返信する。
【００７８】
この受付け処理完了通知の受信に応じて払出ユニット３００の制御ユニット３２８は、受信した受付け処理完了通知に含まれる持ち玉数、貯玉数（会員のみ）、来店ポイント（会員のみ）、暗証番号（会員のみ）等を、カードテーブルに格納するとともに、カードテーブルに記憶されているプリペイド残額を表示部３１２に表示する。
【００７９】
また、遊技者が貸出ボタンの操作を実行した場合には、該遊技者による貸出ボタンの操作を検知するための貸出ボタンスイッチからのパチンコ遊技機１から貸出ボタンが操作されたことを示す信号が制御ユニット３２８に出力されることで、制御ユニット３２８は、貸出ボタンの操作有りと判断して、５００円分の遊技球を貸出す貸出処理を実行する（Ｓ５ａ）。
【００８０】
また、貸出処理を実行した場合は、端玉貸出処理を実行する（Ｓ５ｂ）。端玉貸出処理では、制御ユニット３２８は、カードテーブルに記憶されているプリペイド残高から貸出処理において貸し出した遊技球数分の単位金額である５００円に消費税額を加えた値を減算し、該減算後のプリペイド残高が５００円に消費税額を加えた値以上であるか否かを判定する。
【００８１】
減算後のプリペイド残高が５００円に消費税額を加えた値以上である場合は、カードテーブルに記憶されているプリペイド残高を減算後のプリペイド残高に更新するとともに
表示部３１２に表示中のプリペイド残高の表示を減算後のプリペイド残高に更新する。減算後のプリペイド残高が５００円に消費税額を加えた値未満である場合は、消費税額を含み該減算後のプリペイド残高に相当する端玉数を特定する。そして、制御ユニット３２８は、端玉払出装置４０７を駆動することによって、前記特定した数の端玉を端玉貸出皿７００に対して払い出す。端玉の払出終了後、制御ユニット３２８は、カードテーブルに記憶されているプリペイド残高を０に更新するとともに、表示部３１２に表示中のプリペイド残高の表示を０に更新する。
【００８２】
また、遊技者が紙幣挿入口４０３から現金（紙幣）を投入した場合には、該現金（紙幣）の投入に伴う貨幣識別情報が紙幣識別ユニット４１０から制御ユニット３２８に出力されることで、制御ユニット３２８は、発行・入金処理を実行する（Ｓ６）。
【００８３】
この発行・入金処理においては、まず、入力された貨幣識別情報から投入された貨幣の投入金額を特定するとともに、カードリーダライタ３２７に受付け中の会員カード或いはビジターカードが存在するか否かを判定する。そして、受付け中の会員カード或いはビジターカードが存在しないとの判定の場合に制御ユニット３２８は、カード貯留部（図示略）に収納されているビジターカードをカード挿入口３０９内の所定の読み取り位置に移動させて、当該ビジターカードのカードＩＤを読み出し、該読み出したカードＩＤと、投入金額と、当該払出ユニット３００の装置ＩＤとを含む発行要求をカード管理コンピュータに送信する。
【００８４】
この発行要求の受信に応じてカード管理コンピュータは、受信した発行要求に含まれるカードＩＤが、ビジターカードテーブルに存在するか否かを判定し、存在する場合には、該カードＩＤに対応するビジターカードテーブルの「状況」を「利用中」に更新し、ＲＴＣ３２８ｄから出力されるその時点の日時を最新発行日時に格納するとともに、受信した投入金額を「残存金額」にプリペイド残額として格納して、「発行許諾」を該発行要求の送信元の払出ユニット３００に対して返信する。尚、受信したカードＩＤが、ビジターカードテーブルに存在しない場合には、「発行不可」が返信される。
【００８５】
また、「発行許諾」の送信に伴いカード管理コンピュータは、格納した最新発行日時と受信した発行要求に含まれるカードＩＤと装置ＩＤとを含む発行通知を貯玉管理コンピュータに通知することで、貯玉管理コンピュータは、受信した発行通知に含まれるカードＩＤに対応するビジター貯蓄管理テーブルの最新発行日時に、該受信した発行通知に含まれる最新発行日時を格納するとともに、受信した発行通知に含まれる装置ＩＤに対応するユニット管理テーブルの「状況」を「受付け中」に更新するとともに、「受付ＩＤ」に当該受信したカードＩＤを格納してユニット管理テーブルを更新する。
【００８６】
上記した「発行許諾」の受信に応じて払出ユニット３００の制御ユニット３２８は、カード挿入口３０９に移動させたビジターカードに、投入金額に相当するプリペイド残額を書き込み記憶するとともに、カードテーブルに、該ビジターカードのカードＩＤと投入金額に相当するプリペイド残額とを記憶、並びに残額表示器に該プリペイド残額を表示した後、該発行・入金処理を終了して操作待機状態に戻る。
【００８７】
また、遊技者が返却ボタン４０２の操作を実行した場合には、遊技者による返却ボタン４０２の操作を検知するための返却ボタンスイッチ４０２’からの信号が制御ユニット３２８に入力されることで、制御ユニット３２８は、返却ボタン４０２の操作有りと判断して返却処理を実行する（Ｓ７）。
【００８８】
この返却処理においては、まず、カードリーダライタ３２７に受付け中の会員カード或いはビジターカードが存在するか否かを判定し、存在しない場合には当該操作を無効とする一方、存在する場合には、返却ボタン４０２の操作を無効とする。そして、制御ユニット３２８は、貯玉管理コンピュータに対して当該払出ユニット３００の装置ＩＤと返却したカードのカードＩＤとカードテーブルに記憶されている持ち玉数と貯玉数（会員のみ）を含む返却通知を送信する。
【００８９】
この返却通知の受信に応じて貯玉管理コンピュータは、会員貯蓄管理テーブルまたはビジター貯蓄管理テーブルにおいて、受信した返却通知に含まれる（会員）カードＩＤに対応して記憶されている持ち玉数並びに貯玉数（会員のみ）を、受信した返却通知に含まれる持ち玉数並びに貯玉数に更新するとともに、ユニット管理テーブルにおいて受信した装置ＩＤに対応する「状況」を「待機中」に変更し、「受付けＩＤ」に格納されているカードＩＤを削除して、該返却通知の送信元の払出ユニット３００に対して更新完了通知を送信する。
【００９０】
また、各デバイスから所定のエラー信号が制御ユニット３２８に入力されることで、制御ユニット３２８は、エラー検出有りと判断して、エラーの報知処理を実行する（Ｓ１０）。具体的には、紙幣識別ユニットやカードリーダライタ３２７からエラー信号が入力されてきたときには、光入出力ユニット３０１内のフルカラーＬＥＤ２１１を赤色に点滅点灯させて報知する。また、各コンピュータとの通信状態がオフライン状態になった場合には、光入出力ユニット３０１内のフルカラーＬＥＤ２１１をオレンジ色に点滅点灯させて報知する。このように、フルカラーＬＥＤ２１１を各状態に応じた波長の異なる色にて点灯させることで、払出ユニット３００の状態が報知されるようになっている。尚、通常の状態であるときには、フルカラーＬＥＤ２１１の点灯状態は、白色の連続点灯状態とされる。
【００９１】
また、電断検出回路（図示略）により払出ユニット３００への電力の供給が遮断されたことを示す電断検出信号が制御ユニット３２８に入力されることで、制御ユニット３２８は、払出ユニット３００への電力の供給が遮断されたと判断して、電断検出処理を実行する（Ｓ１２）。
【００９２】
また、貯玉管理コンピュータから出力された締め関連処理指定コマンドが制御ユニット３２８に入力されることで、制御ユニット３２８は、締め関連処理指定コマンドを受信したと判断して、締め関連処理を実行し（Ｓ１３）、プリペイド残額の利用履歴等の情報をカード管理コンピュータや貯玉管理コンピュータに送信する。
【００９３】
以上説明したように、本実施例における遊技用装置としての払出ユニット３００は、通常の単位貸出数とは異なる端数残額に相当する数の遊技球が正しく貸し出されたか否かを、払い出された遊技球が他の遊技球と混ざってしまうことにより確認できなくなってしまうことを防止することができるので、遊技者に不信感を与えてしまうことを防ぐことができる。
【００９４】
また、端玉貸出皿７００が分煙板６００に干渉することがないので、端玉貸出皿７００が分煙板６００に干渉して破損してしまう等の不具合の発生を防ぐことができる。
【００９５】
また、端玉貸出皿７００が灰皿８０１に干渉することがないので、端玉貸出皿７００が灰皿８０１に干渉して破損してしまう等の不具合の発生を防ぐことができる。
【００９６】
また、端玉貸出皿７００が回動することにより、遊技者は、好みの位置に端玉貸出皿７００を回動させることができるので、端玉貸出皿７００における遊技球の取り出しの操作性を向上できる。
【００９７】
また、端玉貸出皿７００が枢支部１０３と干渉することがないので、端玉貸出皿７００が枢支部１０３に干渉して破損してしまう等の不具合が生じることを防止することができる。
【００９８】
また、遊技者は端玉貸出皿７００が右方位置に位置していても端玉貸出皿７００内を視認することができるので、端玉貸出皿７００からの遊技球の取り出し忘れを防ぐことができる。
【００９９】
また、端玉貸出皿７００が膳板８００上の遊技球に干渉することがないので、端玉貸出皿７００が膳板８００上の遊技球に干渉して破損してしまう等の不具合の発生を防ぐことができる。
【０１００】
また、払出口７０４から端玉貸出皿７００内に流入した遊技球が更に払出口７０４に流入することにより、遊技者が払い出された遊技球を誤認してしまうことを防止することができる。
【０１０１】
また、端玉貸出皿７００内に液体が流れ込んだとしても貫通孔７０３を通して端玉貸出皿７００内から液体を排出することができるので、端玉貸出皿７００内に液体が貯まってしまうことを防止することができる。
【０１０２】
以上、本発明の実施例を図面により説明してきたが、具体的な構成はこれら実施例に限られるものではなく、本発明の要旨を逸脱しない範囲における変更や追加があっても本発明に含まれる。
【０１０３】
例えば、前記実施例では、端玉貸出皿７００の底板部７０２に貫通孔７０３を複数穿設することで、端玉貸出皿７００内にジュース等の液体が貯まることを防止する形態を例示したが、本発明はこれに限定されるものではなく、端玉貸出皿７００内にジュースの缶等遊技球以外の物品が収納または貯留されることを防止するようにしても良い。
【０１０４】
具体的には、変形例１として図１０に示すように、底板部７０２の一部が上方に向けて突出する凸部７０５に形成されている。該凸部７０５の底面７０２ａからの高さは、遊技球の直径Ｒ（例えば、１１ｍｍ）よりも長寸であるＬ７（例えば、２０ｍｍ〜２５ｍｍ）であれば良い。このように底板部７０２に凸部７０５を形成することによって、例えば、遊技者がジュースの缶Ｃ等の遊技球以外の物品を端玉貸出皿７００内に収納しようとしたとしても、缶Ｃの底部の一部が凸部７０５の上端部に当接することにより缶Ｃが傾斜する。このように変形例１においては、遊技球以外の物品である缶Ｃを端玉貸出皿７００に収納しようとしても、凸部７０５によって缶Ｃが傾斜してしまい安定して収納することが困難となっているため、端玉貸出皿７００内に遊技球以外の物品が貯留されることを防止することができる。
【０１０５】
また、前記実施例では、遊技者が端玉貸出皿７００に直接手を入れることで、端玉貸出皿７００内の端玉を取り出す形態を例示したが、本発明はこれに限定されるものではなく、遊技者は、端玉貸出皿７００内に設けられたカップ７１０を用いることで端玉貸出皿７００内から端玉を取り出すようにしても良い。
【０１０６】
具体的には、変形例２として図１１示す。図１１（Ａ）及び図１１（Ｂ）に示すように、カップ７１０は、端玉貸出皿７００と同様に、底板部７１５を有している。底板部７１５は、端玉貸出皿７００の底板部７０２を僅かに縮小した同一形状に形成されており、端縁部には上方に向けて直壁部７１０ａと曲壁部７１０ｂが形成されている。つまり、本変形例２におけるカップ７１０は、外形が端玉貸出皿７００を僅かに縮小した同一形状に形成されており、端玉貸出皿７００内に嵌入可能となっている。尚、図１１（Ａ）及び図１１（Ｂ）に示すように、カップ７１０が端玉貸出皿７００内に嵌入している状態では、直壁部７００ａ，７１０ａ同士が当接することにより端玉貸出皿７００内におけるカップ７１０の水平方向への回動が規制されている。つまり、カップ７１０は、端玉貸出皿７００内において直壁部７００ａ，７１０ａにより移動不能に位置決めがなされた状態となっている。
【０１０７】
カップ７１０における曲壁部７１０ｂは、上端部の一部がカップ７１０の外側方に向けて突出することで遊技者が把持可能な把持部７１１に形成されている。また、直壁部７１０ａには、カップ７１０が端玉貸出皿７００に嵌入することにより払出口７０４と連通するように開口部７１２が形成されている。このため、本変形例２における端玉貸出皿７００では、カップ７１０を端玉貸出皿７００内に嵌入した状態で端玉が払い出されることにより、カップ７１０内に端玉が貯留されるようになっている。
【０１０８】
底板部７１５には、上下方向を向く貫通孔７１４が複数穿設されている。これら複数の貫通孔７１４は、貫通孔７０３と略同一の直径に形成されているとともに、カップ７１０が端玉貸出皿７００内に嵌入することにより貫通孔７０３と連通する位置に形成されている。つまり、本変形例２における端玉貸出皿７００では、カップ７１０を端玉貸出皿７００内に嵌入した状態においてジュース等の液体がカップ７１０内に流れこんだとしても、貫通孔７０３，７１４を通してカップ７１０内及び端玉貸出皿７００内から液体を排出することができるので、カップ７１０内に液体が貯まってしまうことを防止することができる。
【０１０９】
更に、底板部７１５の一部が上方に向けて突出する凸部７１３に形成されている。凸部７１３は、凸部７１３の底板部７１５の底面７１５ａからの高さは、遊技球の直径Ｒ（例えば、１１ｍｍ）よりも長寸であるＬ７（例えば、２０ｍｍ〜２５ｍｍ）、つまり、前記変形例１に示した凸部７０５と同程度であれば良い。このように変形例２においてもカップ７１０内に凸部７１３を形成することで、変形例１と同様にカップ７１０内に遊技球以外の物品が貯留されることを防止することができる。
【０１１０】
また、前記実施例では、払出ユニット３００をパチンコ遊技機１に対応して設けた形態を例示したが、本発明はこれに限定されるものではなく、払出ユニット３００はスロットマシンに対応して設けるようにしても良い。尚、このように払出ユニット３００をスロットマシンに対応して設ける場合は、払出ユニット３００から払い出す遊技媒体を、遊技球に替えてメダルとしても良い。
【０１１１】
また、前記実施例では、払出ユニット３００が設置される遊技場としてパチンコ遊技機１やスロットマシン等が設置されるパチンコ店を例示しているが、本発明が適用される遊技場はゲームセンタなどであってもよい。
【０１１２】
また、前記実施例では、パチンコ遊技機１の左側方に該パチンコ遊技機１に対応する払出ユニット３００を該パチンコ遊技機１と近接して配置する形態を例示したが、本発明はこれに限定されるものではなく、払出ユニット３００は、対応するパチンコ遊技機１の右側方に該パチンコ遊技機１に近接して配置するようにしても良い。尚、このように、払出ユニット３００を対応するパチンコ遊技機１の右側方に配置する場合は、パチンコ遊技機１の左側方に分煙板６００のみを配置するようにしても良く、反対に、パチンコ遊技機１の右側方に配置された払出ユニット３００の更に右側方に分煙板６００を配置するようにしても良い。
【０１１３】
また、前記実施例では、端玉貸出皿７００を払出ユニット３００の筐体３１０に対して水平方向に回動可能に設ける形態を例示したが、本発明はこれに限定されるものではなく、端玉貸出皿７００を払出ユニット３００の筐体３１０に対して移動不能に設けるようにしてもよい。尚、このように、端玉貸出皿７００を筐体３１０に対して移動不能に設ける場合は、端玉貸出皿７００の下端部が灰皿８０１の上端部よりも下方且つ端玉貸出皿７００の側面と灰皿８０１の側面とが所定距離離間するように端玉貸出皿７００を設けることで、端玉貸出皿７００と灰皿８０１とが干渉しないとともに、端玉貸出皿７００と枢支部１０３及び分煙板６００が干渉しないようにしても良い。
【０１１４】
また、前記実施例では、右方位置に配置された端玉貸出皿７００は、平面視で最大約半分の範囲が枢支部１０３の下方に進入する一方で、平面視で他方の約半分の範囲は枢支部１０３の下方に進入しない形態を例示したが、本発明はこれに限定されるものではなく、平面視で右方位置に配置された端玉貸出皿７００の全範囲が枢支部１０３の下方に進入するように端玉貸出皿７００または枢支部１０３を形成するようにしても良い。
【０１１５】
また、前記実施例では、右方位置に配置された端玉貸出皿７００は、平面視で最大約半分の範囲が枢支部１０３の下方に進入する一方で、平面視で他方の約半分の範囲は枢支部１０３の下方に進入しない形態を例示したが、本発明はこれに限定されるものではなく、端玉貸出皿７００の回動範囲を規制することによって、端玉貸出皿７００が枢支部１０３の下方に全く進入しないようにしても良い。
【０１１６】
また前記変形例１では、端玉貸出皿７００の底板部７０２に凸部７０５を形成することで、端玉貸出皿７００内に遊技球以外の物品が貯留されることを防止する形態を例示したが、本発明はこれに限定されるものではなく、端玉貸出皿７００の底板部７０２に凹部を形成することで、端玉貸出皿７００内に遊技球以外の物品が貯留されることを防止するようにしても良い。
【０１１７】
また、前記変形例１では、端玉貸出皿７００の底板部７０２から上方に向けて凸部７０５を形成することで、端玉貸出皿７００内に遊技球以外の物品が貯留されることを防止する形態を例示したが、本発明はこれに限定されるものではなく、例えば、直壁部７００ａや曲壁部７００ｂから上方または水平方向に向けて凸部７０５を形成することで、端玉貸出皿７００内に遊技球以外の物品が貯留されることを防止するようにしても良い。
【０１１８】
また、前記実施例では、底板部７０２に平面視で円形状の貫通孔７０３を穿設して端玉貸出皿７００内に液体が貯まってしまうことを防ぐ形態を例示したが、本発明はこれに限定されるものではなく、貫通孔７０３は、底板部７０２を貫通していれば平面視でスリット状等の円形以外の形状で形成されていても良い。
【０１１９】
また、前記実施例では、端玉貸出皿７００の上端部が枢支部１０３の下端部よりも距離Ｌ３下方に位置するように端玉貸出皿７００を配置することで、端玉貸出皿７００と枢支部１０３とが干渉しないようにする形態を例示したが、本発明はこれに限定されるものではなく、枢支部１０３の上端部よりも上方において、端玉貸出皿７００の上端部が枢支部１０２の下端部よりも所定距離下方に位置するように端玉貸出皿７００を配置することで、端玉貸出皿７００と枢支部１０３とが干渉しないようにしても良い。
【０１２０】
また、前記実施例では、樹脂材により構成されている底板部７０２の一部を上方に向けて突出する凸部７０５に形成する形態を例示したが、本発明はこれに限定されるものではなく、例えば、凸部７０５のみをゴム等の樹脂材とは異なる材質にて構成するようにしても良い。
【０１２１】
また、前記変形例では、端玉貸出皿７００内に設けられたカップ７１０を用いることで端玉貸出皿７００内から端玉を取り出す形態を例示したが、本発明はこれに限定されるものではなく、例えば、端玉貸出皿７００内にカップ７１０が嵌入されていることを検出するためのセンサを設けておき、制御ユニット３２８は、該センサの検出結果にもとづき、端玉貸出皿７００内にカップ７１０が嵌入されていると判定した場合のみ端玉貸出皿７００に対して端玉を払い出すようにし、端玉貸出皿７００内にカップ７１０が嵌入されていないと判定した場合は端玉を打球供給皿（上皿）２３に払い出すようにしても良い。
【符号の説明】
【０１２２】
１                パチンコ遊技機
１０２，１０３    枢支部
３００            払出ユニット
３２８            制御ユニット
５００            遊技島
６００            分煙板
６０２            板体
７００            端玉払出皿
７０１            枢軸
７０２            底板部
７０２ａ          底面
７０３            貫通孔
７０４            払出口
７０５            凸部
８００            膳板
８０１            灰皿
【図１】
0006516424.tif 000002
【図２】
0006516424.tif 000003
【図３】
0006516424.tif 000004
【図４】
0006516424.tif 000005
【図５】
0006516424.tif 000006
【図６】
0006516424.tif 000007
【図７】
0006516424.tif 000008
【図８】
0006516424.tif 000009
【図９】
0006516424.tif 000010
【図１０】
0006516424.tif 000011
【図１１】
0006516424.tif 000012